(57)【要約】【課題】  タンクの排水作業をなくすことができると共に、ヒータ等の加熱手段を不要にでき、例えば地下室等の部屋を常に快適な温度、湿度に保てるようにする。【解決手段】  床下収納空間１０の展示台１６上には、除湿機４０の除湿機本体４１を設置する。また、除湿機４１の吸着材には複数の毛細管が内蔵された吸水配管４２の一端側を接触させる。これにより、吸着材に吸着された水分は毛細管現象によって吸水配管４２で自動的に吸い上げられる。そして、吸水配管４２の他端側まで吸い上げられた水分は、送風ファン４３により排水配管４４の吸込材４４ｃへと導かれると共に、この吸込材４４ｃに導かれた水分を、排水配管４４の空気流通路４４ｄを通る送風ファン４３からの空圧を利用して排水配管４４の上端から外部へと地上に吹き出すようにする。【選択図】      図１
2005185980.tif 000002
【特許請求の範囲】
【請求項１】
ファンにより水分を含んだ空気が流れる除湿通路と、前記除湿通路の途中に設けられ前記水分を吸着する吸着手段とを備えた除湿機において、
前記吸着手段には、吸水配管の一端側を接触させ、前記吸水配管は、前記吸着手段に吸着された水分を毛細管によって吸込むことを特徴とする除湿機。
【請求項２】
水分を含んだ空気を除湿して前記水分をタンクに溜める除湿機において、
前記タンクに留められた水分には、吸水配管の一端側を接触させ、前記吸水配管は、前記水分を毛細管によって吸込むことを特徴とする除湿機。
【請求項３】
前記吸水配管の他端側には送風ファンの吸込口を接続し、前記送風ファンは、前記吸水配管の他端側から空圧により水分を前記吸水配管の外部へと逃がすことを特徴とする請求項１または請求項２に記載の除湿機。
【請求項４】
前記送風ファンの吹出口には排水配管を接続し、前記排水配管内には、前記吸水配管からの水分を吸込むための吸込手段と、前記送風ファンからの空気が流通する流通路とを設けたことを特徴とする請求項３に記載の除湿機。
【請求項５】
請求項４に記載の除湿機の本体を構成する除湿機本体を、住宅の床下から地下にかけて形成される床下収納空間内に取り付け、前記吸水配管は、除湿機本体から上方へと延びるように配置し、前記排水配管の上端側を地上に配置したことを特徴とする床下収納空間における除湿機の取付構造。
【発明の詳細な説明】
【技術分野】
【０００１】
本発明は、例えば住宅の床下から地下にかけて形成される床下収納空間等を除湿するための除湿機に関する。また、本発明は床下収納空間における除湿機の取付構造に関する。
【背景技術】
【０００２】
都市部の住宅では、収納率が不足しがちであるため、小屋裏や中間階（中二階や、一階の天井と二階の床との間）を利用した収納スペースが形成されることが多い。ところが、このような小屋裏や中間階を利用した収納スペースは住宅の上部に位置するので、特に重量物の出し入れが大変であり、また、火災や地震等の災害時に収納物の焼失、損壊等の被害を受けやすいという欠点がある。一方、地下室は、住宅の下部に位置するので、重い物であっても出し入れが比較的容易で、収納物が焼失、損壊しにくいという利点がある。しかし、地下室は、比較的湿気が多く、窓がないため、湿気を除去するのが難しいという欠点がある。
【０００３】
そこで、例えば特許文献１に記載の除湿機（以下、従来技術Ａの除湿機という）を地下室内に設置することにより、地下室内の湿気を外部に逃がす方法が考えられる。この従来技術Ａの除湿機は、図１１に示すように、室内空気の一部が除湿通路１０７内を通り、残りの室内空気が再生通路１０８を通るようになっている。そして、除湿通路１０７内を通る室内空気は、除湿通路１０７の途中で凝縮器１０３を通ってこの凝縮器１０３を冷却した後、矢示Ａ方向に回転する除湿ロータ１０２の吸着領域１０２ａにより水分が吸着され、除湿空気となってファン１０４により室内に吹き出される。一方、再生通路１０８を通る室内空気は、ヒータ１０５で加熱された後再生通路１０８の途中に設置された除湿ロータ１０２の再生領域１０２ｂを通ることにより、除湿ロータ１０２から水分を脱着して、多湿空気となる。この多湿空気は、凝縮器１０３を通過して冷却され、多湿空気に含まれた水分が凝縮してタンク１１０内に溜まるようになっている。
【０００４】
また、特許文献１に記載の他の除湿機（以下、従来技術Ｂの除湿機という）によれば、図１２に示すように、室内空気は除湿通路１２５から除湿ロータ１２２の吸着領域１２２ａを通過して除湿された後にターボファン１２３に吸い込まれる。この除湿された空気の一部は、ターボファン１２３の一方の吹出口１２３ａから吹き出されて再び室内に戻される。一方、除湿された空気の残りは、ターボファン１２３の他方の吹出口１２３ｂから吹き出してヒータ１２４により加熱される。この加熱された空気は除湿ロータ１２２の再生領域１２２ｂに供給され、除湿ロータ１２２の吸着材から水分を脱着する。そして、水分を脱着して加湿された多湿空気は排気通路１２６を介して室外に排出されるようになっている。
【特許文献１】特開２００２−１０２６４２号公報（段落０００３、００１６〜００１８、図１、図５）
【発明の開示】
【発明が解決しようとする課題】
【０００５】
ところで、従来技術Ａの除湿機では、タンク１１０の容量が限られており、タンク１１０内が満水になると、除湿運転が自動的に止まるようになっている。このため、タンク１１０に溜まった水分を使用者が取り出して排水作業を行わない限り、除湿運転を再開できず、このような排水作業が使用者にとって面倒な作業になるという問題がある。特に除湿機を地下室内に設置した場合、使用者は地下と１階との間を昇り降りするため、排水作業が使用者にとって負担になるという問題がある。
【０００６】
これに対し、従来技術Ｂの除湿機では、室内空気の水分を多湿空気として室外に排出しているので、凝縮器１０３やタンク１１０（図１１参照）が不要となり、排水作業の必要がなくなるという利点がある。しかし、この従来技術Ｂの除湿機は、室内空気を予めヒータ１２４により加熱しておき、この加熱した空気を除湿ロータ１２２に通すことにより、除湿ロータ１２２を再生する方法を採用しているため、このヒータ１２４からの熱風により地下室内の温度が上昇し、地下室が場合によっては使用者にとって居心地が悪くなるという問題がある。
【０００７】
本発明は、前記課題に鑑み、タンクの排水作業をなくすことができると共に、ヒータ等の加熱手段を不要にでき、例えば地下室等の部屋を常に快適な温度、湿度に保つことができるようにした除湿機及び床下収納空間における除湿機の取付構造を提供することを目的とする。
【課題を解決するための手段】
【０００８】
本発明は、前記課題を解決すべく構成されるものであり、請求項１に記載の発明は、ファンにより水分を含んだ空気が流れる除湿通路と、前記除湿通路の途中に設けられ前記水分を吸着する吸着手段とを備えた除湿機において、前記吸着手段には、吸水配管の一端側を接触させ、前記吸水配管は、前記吸着手段に吸着された水分を毛細管によって吸込むことを特徴とする除湿機である。
【０００９】
請求項１に記載の発明によれば、ファンにより水分を含んだ空気が除湿通路内を流れると、この空気は、除湿通路の途中で吸着手段により水分が吸着される。そして、吸着手段に吸着された水分を、吸水配管の毛細管による毛細管現象により、この毛細管内へと吸い上げることができる。
【００１０】
請求項２に記載の発明は、水分を含んだ空気を除湿して前記水分をタンクに溜める除湿機において、前記タンクに留められた水分には、吸水配管の一端側を接触させ、前記吸水配管は、前記水分を毛細管によって吸込むことを特徴とする除湿機である。
【００１１】
請求項２に記載の発明によれば、タンク内に貯留された水分に吸水配管の一端側を接触させたので、タンク内に貯留された水分を吸水配管の毛細管による毛細管現象により、この毛細管内へと吸い上げることができる。
【００１２】
請求項３に記載の発明は、吸水配管の他端側には送風ファンの吸込口を接続し、前記送風ファンは、前記吸水配管の他端側から空圧により水分を前記吸水配管の外部へと逃がすことを特徴とする請求項１または請求項２に記載の除湿機である。
【００１３】
請求項３に記載の発明によれば、毛細管により吸水配管の他端側へと導かれた水分を、送風ファンの空圧により当該他端側から吸水配管の外部へと逃がすことができる。
【００１４】
請求項４に記載の発明は、送風ファンの吹出口には排水配管を接続し、前記排水配管内には、前記吸水配管からの水分を吸込むための吸込手段と、前記送風ファンからの空気が流通する流通路とを設けたことを特徴とする請求項３に記載の除湿機である。
【００１５】
請求項４に記載の発明によれば、吸水配管の一端側から他端側へと導かれた水分は排水配管内に設けられた吸込手段へと吸込まれ、この状態で、流通路内に送風ファンからの空気を流通させることにより、吸込手段に吸込まれた水分を排水配管を介して当該排水配管の外部へと逃がすことができる。
【００１６】
請求項５に記載の発明は、請求項４に記載の除湿機の本体を構成する除湿機本体を、住宅の床下から地下にかけて形成される床下収納空間内に取り付け、前記吸水配管は、除湿機本体から上方へと延びるように配置し、前記排水配管の上端側を地上に配置したことを特徴とする床下収納空間における除湿機の取付構造である。
【発明の効果】
【００１７】
請求項１の発明によれば、吸着手段に吸着された水分を、毛細管現象を利用して吸水配管の毛細管内へと吸い上げることができる。従って、従来技術Ｂの除湿機に装備されるヒータ等の加熱手段を不要にできる。これにより、例えば地下室等の部屋内を常に快適な温度に保つことができる。
【００１８】
請求項２の発明によれば、タンク内に貯留された水分を、毛細管現象を利用して吸水配管の毛細管内へと吸い上げることができる。従って、タンクの排水作業を不要にでき、使用者の負担を軽減できる。
【００１９】
請求項３の発明によれば、毛細管により吸水配管の他端側へと導かれた水分を、送風ファンの空圧により吸水配管の外部へと確実に逃がすことができる。
【００２０】
請求項４の発明によれば、流通路内に送風ファンからの空気を流通させることにより、吸込手段に吸込まれた水分を排水配管の外部へと確実に放出することができる。
【００２１】
請求項５の発明によれば、吸水配管を除湿機から上方へと延びるように配置したので、除湿機に吸着または溜まった水分を吸水配管を通じて上方へと確実に吸込むことができる。また、吸水配管を通じて吸込んだ水分を排水管の上端側である地上へと逃がすことができる。
【発明を実施するための最良の形態】
【００２２】
（第１の実施の形態）
以下、添付図面を参照して、本発明の実施の形態を詳細に説明する。なお、説明において、同一要素には同一符号を用い、重複する説明は省略する。
【００２３】
図１は本発明に係る床下収納空間の第１の実施の形態を表す斜視図であり、図２は図１の縦断面図である。これらの図に示すように床下収納空間１０は、地盤Ｇを掘削することにより、住宅の一階の床下から地下にかけての高さ領域と、周囲側方を地盤強化体１１で囲まれた平面領域に形成されている。地盤強化体１１は、平面視連続環状に形成された壁状体であり、望ましくは少なくとも一部が住宅の基礎Ｂの下方に位置し、基礎Ｂを下から支持するものである。地盤強化体１１は、地盤Ｇ自体に手を加えることによりその強度を高めたものであり、具体的には、薬液等によって土壌の置換、固結、補強等を行った地盤改良体や、通常よりも径の大きな玉石や砕石を含んだラップルコンクリート（粗石コンクリート）等である。このように床下収納空間１０は、地盤強化体１１で土圧や鉛直荷重に対抗する構造であるので、ＲＣ躯体で構築される地下室に比べて極めて低いコストで施工可能である。なお、床下収納空間１０は、基礎Ｂの真下の地盤強化体１１の下端辺（図２における点Ｐ１）から地盤Ｇのせん断抵抗角φで延びるせん断面Ｓの上方に位置するように形成されているので、掘削中に掘削面が崩壊したり完成後に基礎Ｂが沈下したりすることがなく、構造的に安定している。
【００２４】
床下収納空間１０は、床面１２、壁面１３、天井面１４、排水ピット１５、展示台１６、梯子１７等を備えている。
【００２５】
床面１２は、ここでは地盤強化体１１’の上にモルタルで仕上を施して形成されている。床面１２の略中央部には排水ピット１５が形成されており、この排水ピット１５には蓋
１５ａが被せられている。蓋１５ａは着脱自在であり、その上面は床面１２と同一高さとなっている。
【００２６】
壁面１３は地盤強化体１１の内側面や基礎Ｂの内側面に適宜の仕上を施したものである。仕上としては、化粧パネル貼りやモルタル塗り、メッシュシート貼り等が好適である。
【００２７】
天井面１４は、住宅の一階の床躯体Ｆの下面に適宜の仕上（ここでは防水石膏ボード）を施したものである。床躯体Ｆには、住宅の一階から床下収納空間１０内に出入りするための開閉自在な出入口Ｆａが形成されている。床面１２から天井面１４までの高さは１４００ｍｍ以内であることが望ましく、蓋１５ａを取り外した排水ピット１５の底面から天井面までの高さは１７００ｍｍ程度であることが望ましい。
【００２８】
展示台１６は、その上に様々な物を展示、陳列したり、後記する除湿機本体４１を設置したりするための台であって、地盤改良体やコンクリート、ＣＢ等を用いて、床面１２と壁面１３とが交差する入隅部に沿って高さ３００ｍｍ程度奥行４５０ｍｍ程度に形成されている。
【００２９】
梯子１７は出入口Ｆａと床面１２とを結ぶように取り外し自在に設置されている。
また、地盤強化体１１の外側面、内側面には図１、図２中にそれぞれ点線で示すように、第一の遮水膜２０と、第二の遮水膜３０が配置され、床下収納空間１０は、これら第一，第二の遮水膜２０，３０により二重の防水措置が施されている。
【００３０】
次に、本実施の形態に用いる除湿機４０について説明する。
図１、図２に示すように、除湿機４０は、展示台１６上に設置された除湿機本体４１と、一端側（下端側）が除湿機本体４１に取り付けられた吸水配管４２と、吸水配管４２の他端側（上端側）が取り付けられた送風ファン４３と、一端側が送風ファン４３に取り付けられた排水配管４４とを備えている。
【００３１】
ここで、除湿機本体４１は、図３に示すように、箱形状をなすケーシング４１ａと、ケーシング４１ａ内に収容されたターボファン４１ｂと、ケーシング４１ａ内に形成されて、ターボファン４１ｂにより床下収納空間１０内の空気が流れる除湿通路４１ｃと、除湿通路４１ｃの途中に位置してターボファン４１ｂよりも上流側に配置された吸着手段である吸着材４１ｄとを含んで構成される。なお、前記吸着材４１ｄは、シリカゲル、ゼオライト、アルミナ等が例えばハニカム状または多孔多粒状に成形されている。
【００３２】
吸水配管４２は、図３ないし図５に示すように、例えば可撓性を有する樹脂材料、等を用いて形成され、その内部には細長い管からなる複数の毛細管４２ａ，４２ａ，…が全長に亘って互いに平行に延びるように形成されている。そして、吸水配管４２は、上下方向へと延びるように配置され、その下端側が、ケーシング４１ａを貫通して吸着材４１ｄに取り付けられている。このため、吸着材４１ｄに吸着した水分は、毛細管４２ａによる毛細管現象によって吸水配管４２の上端側へと導かれる。なお、毛細管現象による吸水効率を高くするため、毛細管４２ａの径は可能な限り小さく形成する方が望ましい。つまり、細い毛細管４２ａを水に浸けると、水の分子に働く分子間力よりも毛細管４２ａと水の分子との間に働く力（付着力、濡れ易さ）のほうが大きいため、水は毛細管４２ａ内に引き寄せられてせり上がる。そして、この力と上昇した水の重さがつり合う位置まで水は移動する。従って、毛細管４２ａが細いほど上昇した水の重さは軽くなるので、水はより高い位置まで移動することになる。
【００３３】
送風ファン４３は、図１及び図２に示すように、壁面１３の裏面側に位置して基礎Ｂ上に設置されている。また、図１及び図４に示すように、送風ファン４３の吸気口４３ａには、吸水配管４２の上端側が接続されると共に、送風ファン４３の送風口４３ｂには排水配管４４の一端側（下端側）が接続されている。送風ファン４３は、吸水配管４２の毛細管４２ａによって吸い上げられた水分を空圧により排水配管４４の吸込材４４ｃへと導く。そして、送風ファン４３は、この吸込材４４ｃに導かれた水分を空圧により排水配管４４の他端側（上端側）から外部へと吹き出すように排出するものである。
【００３４】
排水配管４４は、図２及び図５に示すように、例えば樹脂材料等を用いた樹脂ホース４４ａと、樹脂ホース４４ａの内部に周方向に等しい間隔をおいて径方向に向けて延びる４個の固定板４４ｂ，４４ｂ，…と、各固定板４４ｂの径方向内側端部に固定して取り付けられたスポンジ、天然綿製の脱脂綿等からなる吸込手段としての吸込材４４ｃとを有している。また、樹脂ホース４４ａと固定板４４ｂとの間で形成される断面扇型状の４つの空間部は、送風ファン４３からの空気が流れる空気流通路４４ｄ，４４ｄ，…となっている。そして、排水配管４４は、送風ファン４３から例えば基礎Ｂを貫通して住宅の外部（地上）へと延びている。
【００３５】
次に、このように構成される除湿機４０の動作について説明する。
まず、床下収納空間１０内の水分を含んだ空気は、除湿機本体４１のターボファン４１ｂによって除湿通路４１ｃ内を流れ、この除湿通路４１ｃの途中で吸着材４１ｄにより水分が吸着された（除湿された）状態で床下収納空間１０内に戻され、床下収納空間１０内が快適な湿度に保たれる。
【００３６】
ここで、本実施の形態では、除湿機本体４１の吸着材４１ｄに複数の毛細管４２ａが内蔵された吸水配管４２の下端側を接触させる構成としたので、吸着材４１ｄに吸着された水分を毛細管現象を利用して吸水配管４２で自動的に吸い上げることができる。そして、吸水配管４２の上端側まで吸い上げられた水分は、送風ファン４３により排水配管４４の吸込材４４ｃへと導かれると共に、この吸込材４４ｃに導かれた水分を、空気流通路４４ｄを通る送風ファン４３の空圧を利用して排水配管４４の上端から外部へと吹き出すことができる。
【００３７】
従って、本実施の形態によれば、従来技術Ａの除湿機に装備されるタンク、従来技術Ｂの凝縮器、ヒータ等の加熱手段を不要にでき、水替え不要でありながら、熱風により床下収納空間１０内の温度が上昇するような不具合を解消することができ、床下収納空間１０内を常に快適な温度、湿度に保つことができる。また、送風ファン４３を床下収納空間１０の壁面１３の裏面側に隠して取り付けたので、床下収納空間１０の見栄えを良好に維持することができる。
【００３８】
（第２の実施の形態）
次に、本発明の第２の実施の形態に係る除湿機について説明する。
図７は、本実施の形態に係る除湿機を示す概略図である。なお、本実施の形態に用いる除湿機は、第１の実施の形態と同様に、例えば床下収納空間の展示台上に配置されるものである。
【００３９】
図７に示すように、除湿機本体５１の一方のファン５４により除湿通路５７を介して取り入れられた空気は、凝縮器５３の一方の通路５３ａを通って凝縮器５３を冷却した後、回転する除湿ロータ５２の吸着領域５２ａを通って除湿されて再び室内に放出される。また、他方のファン５６によって再生通路５８を通って吸い込まれた再生用空気は、ヒータ５５によって加熱されて、除湿ロータ５２の再生領域５２ｂを通って再生領域５２ｂの吸着材から水分を脱着する。
【００４０】
このようにして再生された吸着材は、除湿ロータ５２の矢示Ａ方向の回転によって吸着領域５２ａ側に移動し、再び除湿通路５７を通る室内空気から水分を吸着する。また、除湿ロータ５２の再生領域５２ｂを通過することにより吸着材から水分を脱着して加湿された多湿空気は、凝縮器５３の他方の通路５３ｂを通って冷却され、多湿空気に含まれた水分が凝縮してタンク６０内に溜まる。
【００４１】
ここで、タンク６０内に溜められた水分中には、第１の実施の形態と同様に、内部が複数の毛細管（図示せず）からなる吸水配管６１の一端側（下端側）を接触させていると共に、この吸水配管６１を、上下方向に延びるように配置している。このため、タンク６０内に溜められた水分は、毛細管現象により吸水配管６１の下端側から上端側へと上方に吸い上げられる。そして、吸水配管６１の他端側に吸い上げられた水分は、第１の実施の形態と同様に、吸込材及び空気流通路を有した排水配管と送風ファン（いずれも図示せず）とによって、床下収納空間（図示せず）の外部へと排水される。
【００４２】
このように構成される本実施の形態によれば、タンク６０内に溜められた水分を吸水配管６１による毛細管現象により吸い上げることができる。そして、この吸い上げられた水分を、ファンを介して排水配管から外部へと逃がすことができる。従って、使用者がタンクを取り出して排水作業を行うような面倒な作業が不要となり、使用者の負担を軽減することができる。
【００４３】
なお、第１の実施の形態では、吸水配管４２を送風ファン４３の吸気口４３ａに接続し、排水配管４４を送風ファン４３の送風口４３ｂに接続する場合を例に挙げて説明した。しかし、本発明はこれに限ることなく、例えば図８ないし図１０に示す変形例のように、吸水配管４２′と排水配管４４′とを直接接続すると共に、送風ファン４３′の吹出配管４３ａ′を湾曲させて、その先端側を、排水配管４４′と吸込材４４ｃ′との間に形成される空気流通路４４ｄ′（図１０参照）内に開口させる構成としてもよい。ここで、図９に示すように、吸水配管４２′は、樹脂ホース４２ａ′と、吸水配管４２′の全長に亘って樹脂ホース４２ａ′内に挿入された綿、麻、絹等の天然繊維または紙等の繊維吸収体等からなる毛細管形成部材４２ｂ′とによって構成されている。また、排水配管４４′は、樹脂ホース４４ａ′と、樹脂ホース４４ａ′の内部に脱脂綿等の吸水性を有する楕円形状をなした吸込材４４ｃ′と、樹脂ホース４４ａ′と吸込材４４ｃ′との間に形成された空気流通路４４ｄ′，４４ｄ′とによって構成されている。
【００４４】
また、第１の実施の形態では、除湿機本体４１を展示台１６上に載置した場合を例に挙げて説明したが、本発明はこれに限ることなく、例えば除湿機本体４１を床面上に載置してもよいし、壁面１３に掛けて取り付ける構成としてもよい。このことは第２の実施の形態についても同様である。
【図面の簡単な説明】
【００４５】
【図１】本発明の第１の実施の形態に係る除湿機が設置される床下収納空間を示す斜視図である。
【図２】図１の縦断面図である。
【図３】本発明の第１の実施の形態に係る除湿機を示す概略図である。
【図４】図２中の除湿機を拡大して示す拡大図である。
【図５】吸水配管を図３中の矢示Ｖ−Ｖ方向から拡大してみた断面図である。
【図６】排水配管を図２中の矢示VI−VI方向から拡大してみた断面図である。
【図７】本発明の第２の実施の形態に係る除湿機を示す概略図である。
【図８】本発明の変形例による除湿機を示す概略図である。
【図９】吸水配管を図８中の矢示IX−IX方向から拡大してみた断面図である。
【図１０】排水配管を図８中の矢示Ｘ−Ｘ方向から拡大してみた断面図である。
【図１１】従来技術Ａによる除湿機を示す概略図である。
【図１２】従来技術Ｂによる除湿機を示す概略図である。
【符号の説明】
【００４６】
１０    床下収納空間
４０    除湿機
４１，５１  除湿機本体
４１ｂ  ターボファン
４１ｃ，５７  除湿通路
４１ｄ  吸着材
４２，４２′  吸水配管
４２ａ  毛細管
４３，４３′  送風ファン
４４，４４′  排水配管
４４ｃ，４４ｃ′  吸込材
４４ｄ，４４ｄ′  空気流通路
５３  凝縮器
５４    一方のファン
５７    除湿通路
６０    タンク
６１  吸水配管
【図１】
2005185980.tif 000003
【図２】
2005185980.tif 000004
【図３】
2005185980.tif 000005
【図４】
2005185980.tif 000006
【図５】
2005185980.tif 000007
【図６】
2005185980.tif 000008
【図７】
2005185980.tif 000009
【図８】
2005185980.tif 000010
【図９】
2005185980.tif 000011
【図１０】
2005185980.tif 000012
【図１１】
2005185980.tif 000013
【図１２】
2005185980.tif 000014